(57)【要約】【課題】  従来のプラス・マイナス導電ネット素材を、ネット素材に交互に配備する構成を採用し、従来の問題点を解消し、また猿等の害獣に対する有効性を確保した防獣ネットシステムがある。しかし、忌避剤を備えたネット素材に関する内容の開示がなく、更なる防獣効果を図るには改良の余地が考えられる。また防獣用ネットの張装及び／又は這わせ等の配備、又はロープの組付け箇所と編成等に関しての開示がなく、この防獣効果に関する改良の余地が考えられる。【構成】  本発明はネット素材に、プラス・マイナス導電ネット素材を交互に配置して防獣用ネットを編成し、防獣ネットは立上り部と、這わせ部を備えており、立上り部にプラス・マイナス導電ネット素材を配備するとともに、立上り部の端に軽量錘入りロープを配備し、また這わせ部の端に重量錘入りロープを配備した防獣ネットシステムであり、有効な防獣効果を達成できる。【選択図】      図１
2006211956.tif 000002
【特許請求の範囲】
【請求項１】
合成樹脂製の繊維を数本撚り上げた撚糸で結節したネット素材に、数本の合成樹脂製の繊維と数本のワイヤーとを撚り上げてなるプラス極用の導電撚糸で結節したプラス導電ネット素材と、数本の合成樹脂製の繊維と数本のワイヤーとを撚り上げてなるマイナス極用の導電撚糸で結節したマイナス導電ネット素材を交互に配置して防獣用ネットを編成し、
この防獣ネットは圃場の空間を囲繞するようにした立上り部と、この圃場の地面を囲繞するようにした這わせ部を備えており、この立上り部に前記プラス・マイナス導電ネット素材を配備するとともに、この立上り部の端に前記軽量錘入りロープを配備し、また前記這わせ部の端に前記重量錘入りロープを配備した防獣ネットシステムであって、
前記導電撚糸に電池、バッテリー、電線等の電源に接続する電線を連設し、また前記重量錘入りロープを活用し、歩行害獣の侵入防止を可能とするとともに、前記軽量錘入りロープで前記防獣ネットのぶれ防止を可能とした防獣ネットシステム。
【請求項２】
請求項１に記載の防獣用ネットに忌避剤を含有した撚糸を配備する構成とした防獣ネットシステム。
【請求項３】
請求項１に記載の防獣用ネットを、前記圃場の周辺に立設したポールの先端に配備したリング状の係止具に、前記軽量錘入りロープを吊下し、この防獣ネットを圃場に繞設する構成とした防獣ネットシステム。
【請求項４】
請求項３に記載のポールは剛性とし、猿等の空中を移動する害獣による飛付きで撓まない構造とした防獣ネットシステム。
【発明の詳細な説明】
【技術分野】
【０００１】
本発明は、猪、鹿、猿、たぬき、狐、もぐら、ねずみ等の害獣に対応できる防獣ネットシステムに関する。
【背景技術】
【０００２】
従来、害獣に対応できる防獣ネットシステム、この防獣ネットシステムに採用する防獣ネットに関しては、次に挙げる文献（１）〜（４）があるので、その内容を、順次下記において説明する。
【０００３】
先ず、文献（１）は、特開平６−２２５６８０号の「猿害防止装置」があり、その内容は、猿の侵入を防止用の境界線に設けた多数の支柱間に張設されたネットと、このネットの上部に垂設又は斜設した裸電線と、この裸電線に衝撃電流を流す電源装置を備えた猿害防止装置であって、裸電線に流れる衝撃電流の状態を信号で発信し、この信号を自宅等の遠隔場所で受信して衝撃電流の状態、又は雑草等が裸電線に触れて短絡し、猿に対する衝撃が無くなっている状態等を自宅で、遠隔操作により監視する構成であり、その特徴は、農家が手間、暇かけて育成してきた果物等の収穫物を荒らす猿による被害の有効防止を意図する。
【０００４】
次に、文献（２）は、実開平６−１９４８３号の「防獣用ネット」であり、その内容は、防獣用ネット本体を構成する網脚の一部及び／又は他の一部を通電網脚で形成し、この導電網脚への接触で導通状態となり、その衝撃によって害獣の侵入を防止すること、又は猿のように地面から飛び上がる害獣に対しても有効に作用する構成であり、その特徴は、略全ての害獣に対応できる防獣用ネットを提供することを意図する。
【０００５】
また文献（３）は、特開平８−１１２０５５号の「電気柵」であり、その内容は、導電材で形成した柵本体の上縁に複数本のプラス極の裸電線を設け、この裸導線の下の柵本体にネットを張装し、マイナス極を地中にアースするとともに、ネットに接続する構成であり、その特徴は、裸電線→猿→柵本体→アース線→地面という経路で衝撃電流が流れることにより、害獣撃退を図ることを意図する。
【０００６】
さらに文献（４）は、特開２０００−２１９７８８の「防獣システムと、防獣用ネット並びに防獣用ネット係止環」であり、その内容は、合成樹脂製の数本繊維撚り上げたネット素材に、数本の合成樹脂製の数本繊維とワイヤーとを撚り上げた導電ネット素材を適宜配置して編成し、その一方端に重り入りロープを配設した防獣用ネットであって、この防獣用ネットを、農地、果樹園等の圃地に立設した少なくとも上方が可撓性を備えたポールに張装し、この張装時に防獣用ネットの下方が地面に延展された状態を確保して、防獣用ネットと地面との隙間をなくすとともに、この張装時に、重り入りロープを地面に配置し、地面との隙間より猿等の侵入を防止し、かつ導電ネット素材とネット素材間に接触した猿等の害獣を撃退することを特徴とした防獣システムであり、その特徴は、屋外及び／又は山間で風雪に晒される状況、又は猿等の害獣が習性で飛付く等の過酷な使用状況においても、防獣効果を発揮すること、このような使用状況でも防獣用ネットの損傷が少なくなること等を意図する。また防獣用ネットの構造の簡略化、設置作業・取扱いの容易化、簡略化等を図りつつ、防獣用ネットの低コスト化等を意図する。
【０００７】
【特許文献１】特開平６−２２５６８０号
【特許文献２】実開平６−１９４８３号
【特許文献３】特開平８−１１２０５５号
【特許文献４】特開２０００−２１９７８８
【発明の開示】
【発明が解決しようとする課題】
【０００８】
前記文献（１）〜（３）は、導電性を備えた防獣ネットと、地中のマイナス極とを利用した防獣装置であり、空中を飛ぶ害獣、例えば、猿等の害獣に対する有効性には少し問題があるものと考えられる。またこの文献（１）〜（３）は、防獣ネットと導電部材とを個別にする構成では、作業が面倒であること、又は防獣ネットの張装と、導電部材の配線に、それぞれ作業担当者が必要となり、設置及び／又は作業に手間を要すること、又は各種部材、機材等の準備、搬入、運搬、保管等においても手間及び場所を要すること等の課題が考えられる。
【０００９】
そして、この文献（２）では、防獣用ネット本体を構成する網脚を通電網脚を多数配備し、この各通電網脚に接触した際に、害獣に電気的な衝撃を与える構成となっている。しかし、この通電網脚を回避して侵入する状況も間々あり、防獣効果に疑問点が考えられること、又は衝撃を与える頻度が低下すること等の課題がある。またこの各通電網脚は、それぞれ単線形状であるので、何れか１本が破損した場合には機能せず、本来の害獣対策としては、十分とは云えない問題点がある。
【００１０】
次に文献（４）は、プラス・マイナス極用の導電撚糸で結節したプラス・マイナス導電ネット素材を、ネット素材に交互に配備する構成を採用し、従来、問題点となっていた、例えば、空中を飛ぶ害獣、猿等の害獣に対する有効性を確保し、また前述の地中にマイナス極を配備する構成を採用する防獣装置の改良を図った。しかし、忌避剤を備えたネット素材に関する内容の開示がなく、更なる防獣効果を図るには改良の余地が考えられる。また防獣用ネットの張装及び／又は這わせる等の構成、又はロープの組付け箇所（配備）と編成等に関しての開示がなく、この発明では防獣効果に関する改良の余地が考えられる。
【課題を解決するための手段】
【００１１】
請求項１の発明は、プラス・マイナス極用の導電撚糸で結節したプラス・マイナス導電ネット素材を、ネット素材に交互に配備する構成を採用し、従来の問題点の解消を図り、また防獣用ネット・防獣ネットシステムの設置・作業の容易化、防獣用ネットの製造、取扱いの容易化を図ること、又は防獣効果を発揮できる防獣ネットシステムの提供とを意図する。また請求項１の発明は、圃場の空間を囲繞するようにした立上り部と、この圃場の地面を囲繞するようにした這わせ部を備えた防獣用のネットシステムを採用し、飛来する害獣と、地面を歩行及び／又は匍匐する害獣にも有効な効果が発揮できる防獣ネットシステムの提供を意図する。さらに請求項１の発明は、少なくとも這わせ部の端に重量錘入りロープを配備した防獣ネットシステムを提供し、強風時及び／又は地震等の災害時において、この這わせ部の捲れ防止と、地面を歩行及び／又は匍匐する害獣にも有効な効果が発揮できる防獣ネットシステムの提供を意図する。
【００１２】
請求項１は、合成樹脂製の繊維を数本撚り上げた撚糸で結節したネット素材に、数本の合成樹脂製の繊維と数本のワイヤーとを撚り上げてなるプラス極用の導電撚糸で結節したプラス導電ネット素材と、数本の合成樹脂製の繊維と数本のワイヤーとを撚り上げてなるマイナス極用の導電撚糸で結節したマイナス導電ネット素材を交互に配置して防獣用ネットを編成し、
この防獣ネットは圃場の空間を囲繞するようにした立上り部と、この圃場の地面を囲繞するようにした這わせ部を備えており、この立上り部に前記プラス・マイナス導電ネット素材を配備するとともに、この立上り部の端に前記軽量錘入りロープを配備し、また前記這わせ部の端に前記重量錘入りロープを配備した防獣ネットシステムであって、
前記導電撚糸に電池、バッテリー、電線等の電源に接続する電線を連設し、また前記重量錘入りロープを活用し、歩行害獣の侵入防止を可能とするとともに、前記軽量錘入りロープで前記防獣ネットのぶれ防止を可能とした防獣ネットシステムである。
【００１３】
請求項２の発明は、請求項１の目的を達成すること、この目的を達成するに最適な忌避剤をネット素材及び／又は導電ネット素材に添加し、経時的な防獣忌避効果を発揮できる防獣ネットシステムを提供すること等を意図する。
【００１４】
請求項２は、請求項１に記載の防獣用ネットに忌避剤を含有した撚糸を配備する構成とした防獣ネットシステムである。
【００１５】
請求項３の発明は、請求項１の目的を達成すること、この目的を達成するに最適な防獣ネットとし、所定の害獣に対する防獣効果を発揮できる防獣ネットシステムを提供すること等を意図する。
【００１６】
請求項３は、請求項１に記載の防獣用ネットを、前記圃場の周辺に立設したポールの先端に配備したリング状の係止具に、前記軽量錘入りロープを吊下し、この防獣ネットを圃場に繞設する構成とした防獣ネットシステムである。
【００１７】
請求項４の発明は、請求項１の目的を達成すること、この目的を達成するのに最適なポールの提供と、このポールを採用することで、所定の害獣に対する防獣効果を発揮できる防獣ネットシステムを提供すること等を意図する。
【００１８】
請求項４は、請求項３に記載のポールは剛性とし、猿等の空中を移動する害獣による飛付きで撓まない構造とした防獣ネットシステムである。
【発明の効果】
【００１９】
請求項１の発明は、合成樹脂製の繊維を数本撚り上げた撚糸で結節したネット素材に、数本の合成樹脂製の繊維と数本のワイヤーとを撚り上げてなるプラス極用の導電撚糸で結節したプラス導電ネット素材と、数本の合成樹脂製の繊維と数本のワイヤーとを撚り上げてなるマイナス極用の導電撚糸で結節したマイナス導電ネット素材を交互に配置して防獣用ネットを編成し、
防獣ネットは圃場の空間を囲繞するようにした立上り部と、圃場の地面を囲繞するようにした這わせ部を備えており、立上り部にプラス・マイナス導電ネット素材を配備するとともに、立上り部の端に軽量錘入りロープを配備し、また這わせ部の端に重量錘入りロープを配備した防獣ネットシステムであって、
導電撚糸に電池、バッテリー、電線等の電源に接続する電線を連設し、また重量錘入りロープを活用し、歩行害獣の侵入防止を可能とするとともに、軽量錘入りロープで前記防獣ネットのぶれ防止を可能とした防獣ネットシステムである。
【００２０】
従って、請求項１は、プラス・マイナス極用の導電撚糸で結節したプラス・マイナス導電ネット素材を、ネット素材に交互に配備する構成を採用し、従来の問題点の解消を図り、また防獣用ネット・防獣ネットシステムの設置・作業の容易化、防獣用ネットの製造、取扱いの容易化が図れること、又は防獣効果を発揮できる防獣ネットシステムを提供できること等の特徴がある。
【００２１】
また請求項１の発明は、圃場の空間を囲繞するようにした立上り部と、この圃場の地面を囲繞するようにした這わせ部を備えた防獣用のネットシステムを採用し、飛来する害獣と、地面を歩行及び／又は匍匐する害獣にも有効な効果が発揮できる防獣ネットシステムを提供することができる利点がある。
【００２２】
さらに請求項１は、少なくとも這わせ部の端に重量錘入りロープを配備した防獣ネットシステムを提供し、強風時及び／又は地震等の災害時において、この這わせ部の捲れ防止と、地面を歩行及び／又は匍匐する害獣にも有効な効果が発揮できる防獣ネットシステムを提供できる実益がある。
【００２３】
請求項２の発明は、請求項１に記載の防獣用ネットに忌避剤を含有した撚糸を配備する構成とした防獣ネットシステムである。
【００２４】
従って、請求項２は、請求項１の目的を達成できること、この目的を達成するに最適な忌避剤をネット素材及び／又は導電ネット素材に添加し、経時的な防獣忌避効果を発揮できる防獣ネットシステムを提供できること等の特徴がある。
【００２５】
請求項３の発明は、請求項１に記載の防獣用ネットを、圃場の周辺に立設したポールの先端に配備したリング状の係止具に、軽量錘入りロープを吊下し、防獣ネットを圃場に繞設する構成とした防獣ネットシステムである。
【００２６】
従って、請求項３は、請求項１の目的を達成できること、この目的を達成するに最適な防獣ネットとし、所定の害獣に対する防獣効果を発揮できる防獣ネットシステムを提供できること等の特徴がある。
【００２７】
請求項４の発明は、請求項３に記載のポールは剛性とし、猿等の空中を移動する害獣による飛付きで撓まない構造とした防獣ネットシステムである。
【００２８】
従って、請求項４は、請求項１の目的を達成できること、この目的を達成するのに最適なポールの提供と、このポールを採用することで、所定の害獣に対する防獣効果を発揮できる防獣ネットシステムを提供できること等の特徴がある。
【発明を実施するための最良の形態】
【００２９】
本発明の一例を説明する。
【００３０】
先ず図面の説明をすると、図１は防獣ネットの延展状態の要部を示した正面図、図２は図１の断面視した側面図、図３は図２に示した要部の一部を拡大して示した斜視図、図４は図２における害獣との関係を示した模式図、図５は防獣ネットの導電ネット素材（導電ネット）を説明する拡大正面図、図６は防獣ネットシステムを示した俯瞰図、図７は防獣ネットの忌避剤入りネット素材（ネット）を説明する拡大正面図である。
【００３１】
図において、１は防獣用ネットであって、この防獣用ネット１は合成樹脂製の繊維を数本撚り上げた撚糸で結節したネット素材１００に、数本の合成樹脂製の繊維と数本のワイヤー２とを撚り上げてなるプラス極用の導電撚糸で結節したプラス導電ネット素材１０１と、数本の合成樹脂製の繊維と数本のワイヤー２とを撚り上げてなるマイナス極用の導電撚糸で結節したマイナス導電ネット素材１０２を交互に配置して（編成して）構成する。そして、この防獣用ネット１は圃場Ｆの空間Ｓを囲繞するようにした立上り部１ａと、圃場Ｆの地面ＧＬを囲繞するようにした這わせ部１ｂを備えており、立上り部１ａにプラス・マイナス導電ネット素材１０１・１０２を配備するとともに、立上り部１ａの端に軽量錘（軽い錘）入りロープ３を配備し、また這わせ部１ｂの端に重量錘（重い錘）入りロープ４を配備する。そして、この防獣用ネット１は、結節した菱形形状を基本として、他の形状として、例えば、四角、六角、方形等もあり得る。尚、前記プラス・マイナス導電ネット素材１０１・１０２を、ワイヤー２で代替することも可能である。そして、この代替の構成では、次の特徴がある。即ち、このワイヤー２を現場においてネット素材１００に挿入することで、この現場において防獣用ネット１に変更可能となり重宝すること、又はこのワイヤー２を従来の防獣用ネット（図示せず）に挿入することで、そのままの状態で防獣用ネット１に変更可能となり有益であること等が挙げられる。
【００３２】
また図中５は圃場Ｆを囲繞し、かつ適宜間隔をおいて立設した剛性のポールで、このポール５には軽量錘入りロープ３をワンタッチで着脱できる二重リング形状のロープ止め６が着脱自在に設けられる。８は電線で、この電線８を介してプラス・マイナス導電ネット素材１０１・１０２を電池、バッテリー、電線等の電源１０に接続する。
【００３３】
尚、図中１１は忌避剤で、この忌避剤１１をネット素材１００及び／又はプラス・マイナス導電ネット素材１０１・１０２に添加し、当該忌避剤１１による忌避効果を狙う。この忌避剤１１は微粒子の状態で添加（編成、塗布、添着、噴霧等を含む）する構成、又は忌避剤１１を含浸したネット糸を編成する構成等があり得る。
【００３４】
この一例の防獣用ネット１は、圃場Ｆを囲繞し、かつ適宜間隔をおいて立設したポール５を複数本立設した後、当該各ポール５（複数を単数で書き、ポール５とする。以下同じ）のロープ止め６に、軽量錘入りロープ３を係止し、当該防獣用ネット１の立上り部１ａで圃場Ｆの空間Ｓを囲繞するとともに、その這わせ部１ｂでこの圃場Ｆの地面ＧＬを囲繞する。そして、防獣用ネット１に編成したプラス・マイナス導電ネット素材１０１・１０２を配備し、このプラス・マイナス導電ネット素材１０１・１０２は電線８を介して電源１０に接続する。一方、前記這わせ部１ｂを圃場Ｆの地面ＧＬに沿って這わせて、この圃場Ｆの周辺に少なくとも編成したネット素材１００を延展するとともに、この延展状態を確保するために、防獣用ネット１の這わせ部１ｂの端に重量錘入りロープ４を配備する。この重量錘入りロープ４を配備することで、害獣の侵入を少なくし、また防獣用ネット１の這わせ部１ｂの風、害獣侵入による捲れ防止を図る。尚、軽量錘入りロープ３はポール５への負担軽減と、防常用ネット１の軽減化、低コスト化等に役立てる。
【００３５】
以上の防獣用ネット１の張装状態で、防獣用ネット１の立上り部１ａに猿が飛付いた際に、撓むことがなく、プラス・マイナス導電ネット素材１０１・１０２による電気的な刺激により恐怖感と、衝撃感を与えて撃退する。このポール５は撓むことが少ないので、前記電気的な刺激により恐怖感と、衝撃感を確実に与えることができる特徴がある。
【００３６】
そして、このプラス・マイナス導電ネット素材１０１・１０２は、防獣用ネット１のポール５の剛性を利用して張装されており、猿Ａ等害獣の飛付きの際による撓みがなく、確実に機能すること、また猪Ｂ等害獣の突進の際による損傷も少なく、確実に機能すること、又は作物Ｈの保護に有益であること等の利点がある。尚、このプラス・マイナス導電ネット素材１０１・１０２の高さを変更し、各種の害獣に対応することも可能であり、有益であり、作物Ｈの保護に有益である。
【００３７】
尚、防獣用ネット１に忌避剤１１を添加することによる機能の強化は前述の通りであり、また忌避剤１１の種類によっては、鳥（図示せず）等の如く、防獣用ネット１の上を飛来する害鳥（害獣に含む）にも有効と思われ重宝する。
【００３８】
そして、図示しないが防獣用ネット１を、軽量錘入りロープ３に架け止めし、この防獣用ネット１を折畳み収容可能とすることもできので、出入り口への利用が図れる特徴と、この防獣用ネット１、ネット素材１００、プラス・マイナス導電ネット素材１０１・１０２等及び／又は防獣用ネットシステムの保守管理・交換等に有効利用できる特徴が考えられる。
【図面の簡単な説明】
【００３９】
【図１】図１は防獣ネットの延展状態の要部を示した正面図
【図２】図２は図１の断面視した側面図
【図３】図３は図２に示した要部の一部を拡大して示した斜視図
【図４】図４は図２における害獣との関係を示した模式図
【図５】図５は防獣ネットの導電ネット素材（導電ネット）を説明する拡大正面図
【図６】図６は防獣ネットシステムを示した俯瞰図
【図７】図７は防獣ネットの忌避剤入りネット素材（ネット）を説明する拡大正面図
【符号の説明】
【００４０】
１            防獣用ネット
１ａ          立上り部
１ｂ          這わせ部
１００        ネット素材
１０１        プラス導電ネット素材
１０２        マイナス導電ネット素材
２            ワイヤー
３            軽量錘入りロープ
４            重量錘入りロープ
５            ポール
６            ロープ止め
８            電線
１０          電源
１１          忌避剤
Ａ            猿
Ｂ            猪
Ｆ            圃場
Ｈ            作物
Ｓ            空間
ＧＬ          地面
【図１】
2006211956.tif 000003
【図２】
2006211956.tif 000004
【図３】
2006211956.tif 000005
【図４】
2006211956.tif 000006
【図５】
2006211956.tif 000007
【図６】
2006211956.tif 000008
【図７】
2006211956.tif 000009